(57)【要約】【課題】消費電力の大きな機能を搭載した場合であっても、消費電力の小さい機能は半永久的に使用することができる。【解決手段】電子時計２０は、第１の機能を実行するＣＰＵ１０１と、第１の機能より消費電力の大きい第２の機能を実行する機能実行部１０７と、ＣＰＵ１０１に電力を供給する第１の電池１０５と、機能実行部１０７に電力を供給する第２の電池１０８と、第１の電池１０５を充電する太陽電池１０６と、第２の電池１０８を充電する充電器２０と接続する充電接続部１０９と、を備える【選択図】図１
2016119735.tif 000002
【特許請求の範囲】
【請求項１】
第１の機能を実行する第１の機能実行部と、
第１の機能より消費電力の大きい第２の機能を実行する第２の機能実行部と、
前記第１の機能実行部に電力を供給する第１の電池と、
前記第２の機能実行部に電力を供給する第２の電池と、
前記第１の電池を充電する第１の充電部と、
前記第２の電池を充電する第２の充電部と、
を備えることを特徴とする電子時計。
【請求項２】
前記第１の充電部は、太陽電池であり、
前記第２の充電部は、外部電源と接続する接続部である
ことを特徴とする請求項１に記載の電子時計。
【請求項３】
前記第１の電池の電圧は、前記第２の電池の電圧より小さい
ことを特徴とする請求項１または請求項２に記載の電子時計。
【請求項４】
前記第１の電池と前記第２の電池とを接続して充電を制御する電源制御部
をさらに備えることを特徴とする請求項１から請求項３のいずれか１項に記載の電子時計。
【請求項５】
前記電源制御部は、前記第１の電池の電圧が所定値以上である場合に、前記第１の充電部による余剰電力を昇圧して前記第２の電池の充電をする
ことを特徴とする請求項４に記載の電子時計。
【請求項６】
前記第２の充電部は、外部電源と接続する接続部であり、
前記電源制御部は、前記第２の充電部が前記外部電源と接続していない場合であって、前記第１の電池の電圧が第１の閾値以下であり、かつ前記第２の電池の電圧が第２の閾値以上である場合に、前記第２の電池の電圧を降圧し、前記第１の電池を充電する
ことを特徴とする請求項４または請求項５に記載の電子時計。
【請求項７】
前記第２の充電部は、外部電源と接続する接続部であり、
前記電源制御部は、前記第２の充電部が前記外部電源と接続している場合、前記第２の電池を第２の充電部により充電するとともに、前記第２の充電部による電圧を降圧して前記第１の電池を充電する
ことを特徴とする請求項４から請求項６いずれか１項に記載の電子時計。
【請求項８】
前記第２の充電部は、外部電源と接続する接続部であり、
前記電源制御部は、前記第２の充電部が前記外部電源と接続している場合であって、前記第２の電池の電圧が所定値以上である場合に、前記第２の充電部による電圧を降圧し、前記第１の電池を充電する
ことを特徴とする請求項４から請求項７のいずれか１項に記載の電子時計。
【請求項９】
前記第１の電池により電力を供給されることで時刻を計時する計時部と、
前記計時部が計時する時刻を表示する表示部と、
を備えることを特徴とする請求項１から請求項８のいずれか１項に記載の電子時計。
【請求項１０】
第１の機能を実行する第１の機能実行部と、
第１の機能より消費電力の大きい第２の機能を実行する第２の機能実行部と、
前記第１の機能実行部に電力を供給する第１の電池と、
前記第２の機能実行部に電力を供給する第２の電池と、
前記第１の電池を充電する第１の充電部と、
前記第２の電池を充電する第２の充電部と、
を備えることを特徴とする電子機器。
【発明の詳細な説明】
【技術分野】
【０００１】
本発明は、電子時計及び電子機器に関する。
【背景技術】
【０００２】
従来から、ソーラーパネルを搭載し、発電した電力により内部の２次電池やコンデンサを充電し、この電力で時計を駆動する製品が知られている。しかし、時計のような小型製品に搭載されるソーラーパネルでは、発電できる電力が少なく、ＧＰＳ（Ｇｌｏｂａｌ  Ｐｏｓｉｔｉｏｎｉｎｇ  Ｓｙｓｔｅｍ）や無線通信のような消費電力の大きい機能を長時間駆動することが困難であった。そこで、消費電力の大きな機能を搭載する場合には、エネルギー密度の大きいリチウムイオン２次電池等を用いて長寿命化をはかっている（例えば、特許文献１参照）。また、一つの電池をソーラーパネルと非接触充電との二つの方法で充電する技術がある（例えば、特許文献２参照）。
【先行技術文献】
【特許文献】
【０００３】
【特許文献１】特開２０１４−１７３９２１号公報
【特許文献２】特開２０１２−０３４４７７号公報
【発明の概要】
【発明が解決しようとする課題】
【０００４】
しかしながら、特許文献１及び２に記載された技術では、リチウムイオン２次電池は充電電圧が４．２Ｖ前後と高いため、ソーラーパネルで充電するにはセル数や面積を増加する必要があり、十分な発電電力を得ることが難しく、外部充電器により充電する必要があるという問題がある。また、ソーラーパネルによりリチウムイオン２次電池を充電する際には、直射日光下で充電する場合、電池の温度が上昇し充電できなくなるという課題もあった。また、ＧＰＳログなどの消費電力の大きなアプリケーションを実行させると、高容量の電池を搭載したとしても、数時間〜数十時間程度しか持続することができず、その後は、時計機能さえ使えなくなってしまうという課題がある。
【０００５】
そこで、本発明は上述の事情を鑑みてなされたものであり、消費電力の大きな機能を搭載した場合であっても、消費電力の小さい機能は半永久的に使用することができる電子時計及び電子機器を提供することを目的とする。
【課題を解決するための手段】
【０００６】
本発明の幾つかの態様は、第１の機能を実行する第１の機能実行部と、第１の機能より消費電力の大きい第２の機能を実行する第２の機能実行部と、前記第１の機能実行部に電力を供給する第１の電池と、前記第２の機能実行部に電力を供給する第２の電池と、前記第１の電池を充電する第１の充電部と、前記第２の電池を充電する第２の充電部と、を備えることを特徴とする電子時計である。
【０００７】
また、本発明の他の態様の電子時計において、前記第１の充電部は、太陽電池であり、前記第２の充電部は、外部電源と接続する接続部であることを特徴とする。
【０００８】
また、本発明の他の態様の電子時計において、前記第１の電池の電圧は、前記第２の電池の電圧より小さいことを特徴とする。
【０００９】
また、本発明の他の態様の電子時計において、前記第１の電池と前記第２の電池とを接続して充電を制御する電源制御部をさらに備えることを特徴とする。
【００１０】
また、本発明の他の態様の電子時計において、前記電源制御部は、前記第１の電池の電圧が所定値以上である場合に、前記第１の充電部による余剰電力を昇圧して前記第２の電池の充電をすることを特徴とする。
【００１１】
また、本発明の他の態様の電子時計において、前記第２の充電部は、外部電源と接続する接続部であり、前記電源制御部は、前記第２の充電部が前記外部電源と接続していない場合であって、前記第１の電池の電圧が第１の閾値以下であり、かつ前記第２の電池の電圧が第２の閾値以上である場合に、前記第２の電池の電圧を降圧し、前記第１の電池を充電することを特徴とする。
【００１２】
また、本発明の他の態様の電子時計において、前記第２の充電部は、外部電源と接続する接続部であり、前記電源制御部は、前記第２の充電部が前記外部電源と接続している場合、前記第２の電池を第２の充電部により充電するとともに、前記第２の充電部による電圧を降圧して前記第１の電池を充電することを特徴とする。
【００１３】
また、本発明の他の態様の電子時計において、前記第２の充電部は、外部電源と接続する接続部であり、前記電源制御部は、前記第２の充電部が前記外部電源と接続している場合であって、前記第２の電池の電圧が所定値以上である場合に、前記第２の充電部による電圧を降圧し、前記第１の電池を充電することを特徴とする。
【００１４】
また、本発明の他の態様の電子時計において、前記第１の電池により電力を供給されることで時刻を計時する計時部と、前記計時部が計時する時刻を表示する表示部と、を備えることを特徴とする。
【００１５】
また、本発明の他の態様は、第１の機能を実行する第１の機能実行部と、第１の機能より消費電力の大きい第２の機能を実行する第２の機能実行部と、前記第１の機能実行部に電力を供給する第１の電池と、前記第２の機能実行部に電力を供給する第２の電池と、前記第１の電池を充電する第１の充電部と、前記第２の電池を充電する第２の充電部と、を備えることを特徴とする電子機器である。
【発明の効果】
【００１６】
本発明によれば、電子時計は、第１の機能を実行する第１の機能実行部に電力を供給する第１の電池と、第１の機能より消費電力の大きい第２の機能を実行する第２の機能実行部に電力を供給する第２の電池と、第１の電池を充電する第１の充電部と、第２の電池を充電する第２の充電部と、を備える。これにより、電子時計は、消費電力の大きな第２の機能を実行して第２の電池の電池残量がなくなった場合であっても、第１の電池により消費電力の小さい第１の機能は使用することができる。よって、電子時計は、消費電力の大きな機能を搭載した場合であっても、消費電力の小さい機能は半永久的に使用することができる。
【図面の簡単な説明】
【００１７】
【図１】本発明の第１の実施形態における充電システムの構成を示した概略図である。
【図２】本発明の第１の実施形態における電子時計が実行する機能実行処理の処理手順を示したフローチャートである。
【図３】本発明の第２の実施形態における充電システムの構成を示した概略図である。
【図４】本発明の第２の実施形態における電子時計が実行する機能実行処理の処理手順を示したフローチャートである。
【図５】本発明の第２の実施形態における電子時計が実行するソーラー充電処理の処理手順を示したフローチャートである。
【図６】本発明の第２の実施形態における電子時計が実行する外部充電処理の処理手順を示したフローチャートである。
【発明を実施するための形態】
【００１８】
以下、本発明の実施形態について、図面を参照しながら説明する。なお、各図において同一部分には同一符号を付している。
【００１９】
［第１の実施形態］
まず、本発明の第１の実施形態について説明する。図１は、本実施形態における充電システム１の構成を示した概略図である。図示する例では、充電システム１は、電子時計１０と充電器２０とを含んでいる。
【００２０】
電子時計１０は、デジタル表示で時刻を表示する時計である。図示する例では、電子時計１０は、ＣＰＵ（Ｃｅｎｔｒａｌ  Ｐｒｏｃｅｓｓｉｎｇ  Ｕｎｉｔ）１０１と、ＬＣＤ（Ｌｉｑｕｉｄ  Ｃｒｙｓｔａｌ  Ｄｉｓｐｌａｙ）１０２と、ＳＷ（ｓｗｉｔｃｈ）１０３と、ＬＥＤ（Ｌｉｇｈｔ  Ｅｍｉｔｔｉｎｇ  Ｄｉｏｄｅ）１０４と、第１の電池１０５と、太陽電池１０６と、機能実行部１０７と、第２の電池１０８と、充電接続部１０９と、を備えている。
【００２１】
ＣＰＵ１０１は、電子時計１０を統括して制御する中央演算処理装置である。ＣＰＵ１０１は、機能実行部１０７が実行する機能より消費電力の小さい機能（例えば、時刻を計時してＬＣＤ１０２に表示する時計機能）を実行する第１の機能実行部である。また、ＣＰＵ１０１は、第１の電池１０５により電力を供給されることで時刻を計時する計時部を含む。ＣＰＵ１０１は、第１の電池１０５により駆動する。
【００２２】
ＬＣＤ１０２は、ＣＰＵ１０１が計時する時刻等、種々の情報を表示する表示部である。ＳＷ１０３は、入力を受け付ける入力部である。ＬＥＤ１０４は、発光して電子時計１０の状態等を報知する。
【００２３】
第１の電池１０５は、第２の電池１０８より充電電圧が低く電池容量の小さな２次電池であり、例えば、ＣＴＬ１６１６である。第１の電池１０５は、太陽電池１０６により充電される。第１の電池１０５は、ＣＰＵ１０１に電力を供給して、時計機能に必要なＬＣＤ１０２やＬＥＤ１０４等を駆動する。
【００２４】
太陽電池１０６は、光（太陽、照明など）を受光して電気エネルギーに変換する発電部である。太陽電池１０６は、第１の電池１０５を充電する第１の充電部として動作する。
【００２５】
機能実行部１０７は、ＣＰＵ１０１が実行する機能より消費電力の大きい機能を実行する第２の機能実行部である。例えば、機能実行部１０７は、ＧＰＳ機能やＢＬＥ（Ｂｌｕｅｔｏｏｔｈ（登録商標）  Ｌｏｗ  Ｅｎｅｒｇｙ）等の無線通信機能、モーションセンシング機能等を実行する。機能実行部１０７は、第２の電池１０８により駆動する。
【００２６】
第２の電池１０８は、第１の電池１０５より充電電圧が高く電池容量の大きな２次電池であり、例えば、リチウム２次電池である。第２の電池１０８は、充電接続部１０９に接続される充電器２０（外部の電源）により充電される。第２の電池１０８は、機能実行部１０７に電力を供給する。
【００２７】
充電接続部１０９は、充電器２０と接続して第２の電池１０８を充電する第２の充電部として動作する。充電接続部１０９は、非接触接続により充電器２０と接続する。
【００２８】
充電器２０は、電子時計２０の第２の電池１０８を充電する外部電源である。図示する例では、充電器２０は、非接触充電給電部２０１と、接続部２０２とを備えている。非接触充電給電部２０１は、接続部２０２を介して第２の電池１０８を充電する。接続部２０２は、非接触接続により充電接続部１０９と接続する。
【００２９】
次に、電子時計１０における機能を実行する機能実行処理について説明する。図２は、本実施形態における電子時計１０が実行する機能実行処理の処理手順を示したフローチャートである。本図に示す処理は、電子時計１０が備える機能を動作する際に実行される。
【００３０】
（ステップＳ１０１）ＣＰＵ１０１は、実行する機能が重負荷動作であるか否かを判定する。なお、電子時計１０には、どの機能が重負荷動作であるかが予め設定されている。例えば、機能実行部１０７が実行するＧＰＳ機能、無線通信機能またはモーションセンシング機能等が重負荷動作である。重負荷動作であるとＣＰＵ１０１が判定した場合にはステップＳ１０２の処理に進む。また、重負荷処理でないとＣＰＵ１０１が判定した場合にはステップＳ１０５の処理に進む。
【００３１】
（ステップＳ１０２）ＣＰＵ１０１は、第２の電池１０８の電圧が既定以上であるか否かを判定する。第２の電池１０８の電圧が既定以上であるとＣＰＵ１０１が判定した場合にはステップＳ１０３の処理に進む。また、第２の電池１０８の電圧が既定より小さいとＣＰＵ１０１が判定した場合にはステップＳ１０１の処理に戻る。
【００３２】
（ステップＳ１０３）機能実行部１０７の機能を動作させるために用いる電源を第２の電池１０８とする。その後、ステップＳ１０４の処理に進む。
（ステップＳ１０４）機能実行部１０７は、機能の動作を開始する。その後、処理を終了する。
【００３３】
（ステップＳ１０５）ＣＰＵ１０１の機能を動作させるために用いる電源を第１の電池１０５とする。その後、ステップＳ１０６の処理に進む。
（ステップＳ１０６）ＣＰＵ１０１は、機能の動作を開始する。その後、処理を終了する。
【００３４】
上述したとおり、本実施形態では、電子時計１０は、ＣＰＵ１０１に電力を供給する第１の電池１０５と、ＣＰＵ１０１が実行する機能より消費電力の大きい機能を実行する機能実行部１０７に電力を供給する第２の電池１０８とを備える。第１の電池１０５は、太陽電池１０６により充電される。また、第２の電池１０８は、第１の電池１０５より充電電圧が大きく、充電器２０により充電される。これにより、電子時計１０は、消費電力の大きいＧＰＳ機能や無線通信機能を実行したことにより第２の電池１０８の電池残量がなくなった場合であっても、太陽電池１０６による充電が可能な第１の電池１０５により消費電力の小さい時計機能を常時動作させることができる。すなわち、電子時計１０は、消費電力の低い時計機能等を、太陽電池１０６によるソーラー充電により、充電器２０を接続せずに半永久的に使用することができる。また、電子時計１０は、ＧＰＳのような低レベル信号を扱うデバイス（機能実行部１０７）の電源とＣＰＵ１０１の電源とを切り離すことでノイズの影響による感度低下等を抑制することができる。
【００３５】
［第２の実施形態］
次に、本発明の第２の実施形態について説明する。図３は、本実施形態おける充電システム１ａの構成を示した概略図である。本実施形態における充電システム１ａは、第１の実施形態における電子時計１０に代えて電子時計１０ａを備える。本実施形態における充電器２０の構成は、第１の実施形態と同様であるため、その説明を省略する。
【００３６】
電子時計１０ａは、第１の実施形態における電子時計１０の構成に加えて電源制御部１１０を備える。電源制御部１１０は、第１の電池１０５及び第２の電池１０８の充電を制御する。第１の電池１０５と第２の電池１０８とは電源制御部１１０を介して接続される。電源制御部１１０は、第１の電池１０５が満充電（電圧が所定の閾値α以上）である場合に、太陽電池１０６による余剰電力を昇圧して第２の電池１０８の充電をする。また、電源制御部１１０は、充電接続部１０９が充電器２０と接続していない場合であって、第１の電池１０５の電圧が第１の閾値以下であり、かつ第２の電池１０８の電圧が第２の閾値以上である場合に、第２の電池１０８の電圧を降圧し、第１の電池１０５を充電する。また、電源制御部１１０は、充電接続部１０９が充電器２０と接続している場合であって、第２の電池１０８が満充電（電圧が所定の閾値β以上）である場合に、充電器２０による電圧を降圧し、第１の電池１０５を充電する。また、電源制御部１１０は、充電接続部１０９が充電器２０と接続している場合、第２の電池１０８を充電器２０により充電するとともに、充電器２０による電圧を降圧して第１の電池１０５を充電する。
【００３７】
また、電源制御部１１０は、機能実行部１０７が消費電力の大きい機能を実行する際に、第１の電池１０５及び第２の電池１０８の電圧に基づいて、機能実行部１０７に電力を供給する電池を判定する。具体的には、電源制御部１１０は、第２の電池１０８の電圧が所定値以上である場合には、第２の電池１０８から機能実行部１０７に電力を供給して機能を実行させる。また、電源制御部１１０は、第２の電池の電圧が所定値より小さく、かつ、第１の電池の電圧が所定値以上である場合には、第１の電池１０５から機能実行部１０７に電力を供給して低消費モードで機能を実行させる。
【００３８】
機能実行部１０７は、低消費モードでは、間欠動作等により電力の消費を抑えて機能を実行する。例えば、機能実行部１０７は、ＧＰＳ機能を実行する場合には、通常モードでは１秒毎にログを取得していたものを、低消費モードではログの取得間隔を１分毎にする。また、機能実行部１０７は、無線通信機能を実行する場合には、通常モードではデータを自動受信していたものを、低消費モードでは手動受信にする。また、機能実行部１０７は、モーションセンシング機能を実行する場合には、通常モードでは９軸検出していたものを、低消費モードでは３軸（加速度のみ）にする。また、機能実行部１０７は、通常モードでは、ＬＣＤ１０２の表示消灯までの時間が１０分だったものを、低消費モードでは１分にする。電子時計１０ａの他の構成は、第１の実施形態における電子時計１０の構成と同様であるため、その説明を省略する。
【００３９】
次に、電子時計１０ａにおける機能を実行する機能実行処理について説明する。図４は、本実施形態における電子時計１０ａが実行する機能実行処理の処理手順を示したフローチャートである。本図に示す処理は、電子時計１０ａが備える機能を動作する際に実行される。
【００４０】
（ステップＳ２０１）ＣＰＵ１０１は、実行する機能が重負荷動作であるか否かを判定する。重負荷動作であるとＣＰＵ１０１が判定した場合にはステップＳ２０２の処理に進む。また、重負荷処理でないとＣＰＵ１０１が判定した場合にはステップＳ２０８の処理に進む。
【００４１】
（ステップＳ２０２）電源制御部１１０は、第２の電池１０８の電圧が既定以上であるか否かを判定する。第２の電池１０８の電圧が既定以上であると電源制御部１１０が判定した場合にはステップＳ２０３の処理に進む。また、第２の電池１０８の電圧が既定より小さいと電源制御部１１０が判定した場合にはステップＳ２０５の処理に進む。
【００４２】
（ステップＳ２０３）電源制御部１１０は、機能を動作させるための電源を第２の電池１０８とする。その後、ステップＳ２０４の処理に進む。
（ステップＳ２０４）機能実行部１０７は、機能の動作を開始する。その後、処理を終了する。
【００４３】
（ステップＳ２０５）電源制御部１１０は、第１の電池１０５の電圧が既定以上であるか否かを判定する。第１の電池１０５の電圧が既定以上であると電源制御部１１０が判定した場合にはステップＳ２０６の処理に進む。また、第１の電池１０５の電圧が既定より小さいと電源制御部１１０が判定した場合にはステップＳ２０１の処理に戻る。
【００４４】
（ステップＳ２０６）電源制御部１１０は、機能を動作させるための電源を第１の電池１０５とする。その後、ステップＳ２０７の処理に進む。
（ステップＳ２０７）機能実行部１０７は、低消費モードで機能の動作を開始する。その後、処理を終了する。
【００４５】
（ステップＳ２０８）電源制御部１１０は、機能を動作させるための電源を第１の電池１０５とする。その後、ステップＳ２０９の処理に進む。
（ステップＳ２０９）ＣＰＵ１０１は、機能の動作を開始する。その後、処理を終了する。
【００４６】
次に、電子時計１０ａにおける電池の充電処理について説明する。図５は、本実施形態における電子時計１０ａが実行するソーラー充電処理の処理手順を示したフローチャートである。本図に示す処理は、太陽電池１０６により電池を充電する際に実行される。
【００４７】
（ステップＳ３０１）電源制御部１１０は、第１の電池１０５の電圧が既定（閾値α）以下であるか否かを判定する。第１の電池１０５の電圧が既定以下であると電源制御部１１０が判定した場合にはステップＳ３０２の処理に進む。また、第１の電池１０５の電圧が既定より大きいと電源制御部１１０が判定した場合にはステップＳ３０４の処理に進む。
【００４８】
（ステップＳ３０２）電源制御部１１０は、太陽電池１０６が発電する電力を第１の電池１０５に充電する。その後、ステップＳ３０３の処理に進む。
（ステップＳ３０３）電源制御部１１０は、第１の電池１０５の電圧が既定（閾値α）以上であるか否かを判定する。第１の電池１０５の電圧が既定以上であると電源制御部１１０が判定した場合にはステップＳ３０４の処理に進む。また、第１の電池１０５の電圧が既定より小さいと電源制御部１１０が判定した場合にはステップＳ３０２の処理に戻る。
【００４９】
（ステップＳ３０４）電源制御部１１０は、第２の電池１０８の電圧が既定（閾値β）以下であるか否かを判定する。第２の電池１０８の電圧が既定以下であると電源制御部１１０が判定した場合にはステップＳ３０５の処理に進む。また、第２の電池１０８の電圧が既定より大きいと電源制御部１１０が判定した場合には処理を終了する。
【００５０】
（ステップＳ３０５）電源制御部１１０は、太陽電池１０６が発電する電力を第２の電池１０８に充電する。その後、ステップＳ３０６の処理に進む。
（ステップＳ３０６）電源制御部１１０は、第２の電池１０８の電圧が既定（閾値β）以上であるか否かを判定する。第２の電池１０８の電圧が既定以上であると電源制御部１１０が判定した場合には処理を終了する。また、第２の電池１０８の電圧が既定より小さいと電源制御部１１０が判定した場合にはステップＳ３０５の処理に戻る。
【００５１】
図６は、本実施形態における電子時計１０ａが実行する外部充電処理の処理手順を示したフローチャートである。本図に示す処理は、充電器２０により電池を充電する際に実行される。
【００５２】
（ステップＳ４０１）電源制御部１１０は、第２の電池１０８の電圧が既定（閾値β）以下であるか否かを判定する。第２の電池１０８の電圧が既定以下であると電源制御部１１０が判定した場合にはステップＳ４０２の処理に進む。また、第２の電池１０８の電圧が既定より大きいと電源制御部１１０が判定した場合にはステップＳ４０４の処理に進む。
【００５３】
（ステップＳ４０２）電源制御部１１０は、充電器２０から給電される電力を第２の電池１０８に充電する。その後、ステップＳ４０３の処理に進む。
（ステップＳ４０３）電源制御部１１０は、第２の電池１０８の電圧が既定（閾値β）以上であるか否かを判定する。第２の電池１０８の電圧が既定以上であると電源制御部１１０が判定した場合にはステップＳ４０４の処理に進む。また、第２の電池１０８の電圧が既定より小さいと電源制御部１１０が判定した場合にはステップＳ４０２の処理に戻る。
【００５４】
（ステップＳ４０４）電源制御部１１０は、第１の電池１０５の電圧が既定（閾値α）以下であるか否かを判定する。第１の電池１０５の電圧が既定以下であると電源制御部１１０が判定した場合にはステップＳ４０５の処理に進む。また、第１の電池１０５の電圧が既定より大きいと電源制御部１１０が判定した場合には処理を終了する。
【００５５】
（ステップＳ４０５）電源制御部１１０は、充電器２０から給電される電力を第１の電池１０５に充電する。その後、ステップＳ４０６の処理に進む。
（ステップＳ４０６）電源制御部１１０は、第１の電池１０５の電圧が既定（閾値α）以上であるか否かを判定する。第１の電池１０５の電圧が既定以上であると電源制御部１１０が判定した場合には処理を終了する。また、第１の電池１０５の電圧が既定より小さいと電源制御部１１０が判定した場合にはステップＳ４０５の処理に戻る。
【００５６】
上述したとおり、本実施形態では、電子時計１０は、第１の実施形態における構成に加えて、第１の電池１０５と第２の電池１０８とを接続して充電を制御する電源制御部１１０を備える。これにより、電子時計１０は、第１の実施形態における効果に加えて、第１の電池１０５を第２の電池１０８から充電することができる。また、電子時計１０は、太陽電池１０６が発電した余剰電力により第２の電池１０８を充電することができる。また、電子時計１０は、充電器２０から第１の電池１０５を充電することができる。また、リチウムイオン２次電池では、過放電によりその電圧値が所定値以下になったときには、機器の安全のため再充電を禁止する場合がある。このような場合、第２の電池１０８を交換しない限り再充電が不可能となってしまう。しかし、本実施形態では、太陽電池１０６の余剰電力にて第２の電池１０８を充電することで、第２の電池１０８の自己放電や保護ＩＣの消費電力による電圧低下を抑制し、所定電圧より下回ることを防ぐことができ、機器の寿命を延ばすことができる。
【００５７】
また、電源制御部１１０は、第２の電池１０８の電圧が所定値より小さく、かつ、第１の電池１０５の電圧が所定値以上である場合には、第１の電池１０５から機能実行部１０７に電力を供給して低消費モードで機能を実行させる。これにより、電子時計１０は、第２の電池１０８の電池残量が少なくなった場合であっても、消費電力の大きな機能を完全に停止するのではなく、第１の電池１０５により間欠動作等の低消費モードとして当該機能を実行することができる。
【００５８】
なお、上述した実施形態における電子時計１０が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【００５９】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００６０】
以上、本発明の実施形態について説明したが、本発明は、上記実施形態に限定されるものではなく、本発明の趣旨を逸脱しない範囲において種々の変更を加えることが可能である。
【００６１】
また、上述した実施形態では、電子時計１０をデジタル表示で時刻を表示するデジタル時計としたが、これに限らず、電子時計１０はアナログ表示で時刻を表示するアナログ時計であってもよい。電子時計１０がアナログ時計である場合には、指針を回転させるステッピングモータを高速駆動させる機能等が重負荷動作に含まれる。機能実行部１０７は、低消費モードでは、指針を駆動するステッピングモータの正転（高速駆動）を禁止する。
【００６２】
また、上述した実施形態において、電源制御部１１０による処理をＣＰＵ１０１に行わせてもよい。その場合には、それぞれのＣＰＵ１０１が、太陽電池１０６、第１の電池１０５、機能実行部１０７、第２の電池１０８と接続される。
また、上述した実施形態では、電子時計１０は、非接触接続により充電器２０と接続しているが、これに限らず、例えば、ＵＳＢ（Ｕｎｉｖｅｒｓａｌ  Ｓｅｒｉａｌ  Ｂｕｓ）接続等、他の方法で接続してもよい。
【符号の説明】
【００６３】
１、１ａ  充電システム
１０、１０ａ  電子時計
２０  充電器
１０１  ＣＰＵ
１０２  ＬＣＤ
１０３  ＳＷ
１０４  ＬＥＤ
１０５  第１の電池
１０６  太陽電池
１０７  機能実行部
１０８  第２の電池
１０９  充電接続部
１１０  電源制御部
２０１  非接触充電給電部
２０２  接続部
【図１】
2016119735.tif 000003
【図２】
2016119735.tif 000004
【図３】
2016119735.tif 000005
【図４】
2016119735.tif 000006
【図５】
2016119735.tif 000007
【図６】
2016119735.tif 000008